(57)【要約】【課題】  防炎性が高く、例えば、短時間に簡単に施工が出来るマグネット式内装施工方法に用いられる防炎性内装フィルムに適した防炎性フィルム提供する。【解決手段】防炎性フィルム１０は合成樹脂シート１１と、前記合成樹脂シートの裏面に形成されたマグネットシート１２と、前記合成樹脂シート及び前記マグネットシートの間に介在して形成された防炎剤層１３とを備えている。内装施工方法は、防炎性内装フィルム及び磁性材料から構成された下地シートを用意し、建築物内部の床面の所定の領域を内装を施す領域と定め、これら内装を施す領域の表面上に形成された下地シート上に防炎性内装フィルムを磁力により取付ける。【選択図】  図１
2015074893.tif 000002
【特許請求の範囲】
【請求項１】
合成樹脂シートと、前記合成樹脂シートの裏面に形成されたマグネットシートと、前記合成樹脂シート及び前記マグネットシートの間に介在して形成された防炎剤層とを備えていることを特徴とする防炎性フィルム。
【発明の詳細な説明】
【技術分野】
【０００１】
本発明は、防炎性フィルムに関し、例えば、建築物の内部に内装フィルムを用いて内装を施す内装施工方法等に使用するフィルムに関するものである。
【背景技術】
【０００２】
従来、公共建築物、住宅、幼稚園、保育所等の建築物は、必要に応じて内部のリホームを行い、建築物の寿命を長くしている。リホームによって、建築物内部の壁面や床面などの表面を新しい内装材に張り替え、以前と異なる環境にすることが出来る。さらに、近年では、エレベータのような磁性材料から構成された壁面を有する建築物内部の構造物の表面にマグネットシートを取付けた表面部材を磁力により貼り付けて壁面を構成する施工方法が知られている（特許文献１参照）。
特許文献１には、強磁性体製の壁面を有するエレベータや家庭用、展示会場等の各種の部屋における壁面の装飾や衝撃緩和のために用いることが出来るマグネット付きの壁部材に最適で、器材等の緩衝部材としても応用できる技術が開示されている。
出願人は、先に、短時間に簡単に施工が出来るマグネットシートを用いた内装施工方法に係る発明について出願した（特願２０１３−１１０３７７）。これは、合成樹脂シートとマグネットシートとから構成された内装フィルム及び磁性材料から構成された下地シートを用意し、建築物内部の床面の所定の領域の内装を施す領域と定め、これら内装を施す領域の表面上に形成された下地シート上に内装フィルムを磁力により取付ける方法である。
【先行技術文献】
【特許文献】
【０００３】
【特許文献１】特開２００３−２５３８４９号公報
【発明の概要】
【発明が解決しようとする課題】
【０００４】
従来のリホームでは、例えば、壁面を改修する場合、まず、古い壁紙を剥がして取り去り、下地を露出させる。そして、その上に壁面の表面を飾る内装材を粘着剤により貼り付けるという施工方法を通常用いている。しかしながら、このような従来の施工方法は、粘着剤を用いるので、乾燥に時間が掛かり、施工時間が長くなるという問題があった。また、表面部材（内装材）は、マグネットシートにより磁力で壁面に固着されるものであるから、壁面が強磁性体などの磁性材料でなければならず、用途が限定されるという問題があった。また、室内でも特殊な部分、トイレや台所などは床面の汚れ易く、早めの改修が必要である。出願人の先の特許出願は、このような事情によりなされたもので、短時間に簡単に施工が出来、適用範囲が従来より広くなるマグネット式の内装施工方法を提供するものである。
ところで、近年、内装施行方法において防炎性を高めることによって建築物の耐火性を高める開発が進んでいる。
本発明は、このような事情によりなされたものであって、防炎特性を高くしたことを特徴とする防炎性フィルムを提供する。
【課題を解決するための手段】
【０００５】
本発明の防炎性フィルムの一態様は、合成樹脂シートと、前記合成樹脂シートの裏面に形成されたマグネットシートと、前記合成樹脂シート及び前記マグネットシートの間に介在して形成された防炎剤層とを備えていることを特徴としている。
【発明の効果】
【０００６】
本発明の防炎性フィルムは、防炎性に優れており、例えば、建築物内部に内装を施す際に使用される内装フィルム等として好適である。例えば、短時間に簡単に施工が出来るマグネットシートを内装フィルムに組み込んだマグネット式内装施工方法に用いれば、火災発生初期の拡大防止に有効であり、防炎性の高い内装が短時間で容易に形成される。
【図面の簡単な説明】
【０００７】
【図１】実施例１の防炎性フィルムの斜視図。
【図２】実施例１のマグネット式内装施工方法に用いる下地シートの斜視図。
【図３】実施例１のマグネット式内装施工方法が施されるトイレ内部の要部斜視図。
【図４】実施例２の防炎性内装フィルムの表面に貼り付けた防犯ミラーの斜視図。
【図５】図４の防犯ミラーの一例であるアルミシートの斜視図。
【図６】図４の防犯ミラーを取付けたエレベータ内部の斜視図及び正面図。
【図７】図４の防犯ミラーを取付けたエレベータの透過斜視図。
【図８】実施例３の防炎性内装フィルムを腰板に適用した工程を説明する建造物内部の壁面の正面図。
【図９】実施例４の内装フィルムを腰板に適用した工程を説明する建造物内部の壁面の正面図。
【発明を実施するための形態】
【０００８】
以下、実施例を参照して発明の実施の形態を説明する。
【実施例１】
【０００９】
まず、図１、図２及び図３を参照して実施例１を説明する。図１に示すように、この実施例の防炎性フィルム１０は、合成樹脂シート１１と、合成樹脂シート１１の裏面に形成されたマグネットシート１２と、両者の間に介在して形成された防炎剤層１３から構成されている。防炎剤層１３は、樹脂シートに防炎剤を混入させて形成するか、合成樹脂シートとマグネットシートとを接着する接着剤に混ぜ、両者のいずれかに塗布して形成されている。合成樹脂シート１１の材料としては、例えば、塩化ビニール樹脂が用いられる。この実施例で用いる防炎性フィルムは、防炎化されたフィルムをいう。防炎化とは、火種を取り去れば炎は拡大せずに消えてしまうという性質を材料に持たせることを意味する。
防炎剤層を構成する防炎剤は、含燐防炎剤、含ハロゲン防炎剤、含硫黄防炎剤、無機防炎剤などがある。含燐防炎剤には、燐酸メラミンや燐酸チオ尿素樹脂などの水溶性アミノプラスト燐酸塩、ホスホニウム塩やアクリル燐酸塩などの含燐有機物などが知られている。含ハロゲン防炎剤には、塩素化パラフィンやヘキサブロモシクロドデカンなどの含ハロゲン有機物、ポリ塩化ビニルや塩化ビニリデンなどの含ハロゲン高分子などが知られている。含硫黄防炎剤には、ポリ硫酸カルバメートやスルファミン酸アンモニウムやフェノールスルホン酸などの含硫黄化合物、チオ尿素樹脂や環状チオ尿素メチロール化物などのチオ尿素系などが知られている。無機防炎剤には、ポリ燐酸カルバメートや炭酸アンモニウムや硫酸アンモニウムなどのアンモニウム塩、硼酸や燐酸などの無機酸、硼砂や珪酸ナトリウムなどのアルカリ金属塩、三酸化アンチモンや四塩化錫や三塩化ビスマスなどの金属化合物などが知られている。
この防炎性フィルムは、防炎性に優れており、建築物内部に内装を施す際に使用される内装フィルム等として好適である。
以下、図２及び図３を参照して、この実施例で説明した防炎性フィルムを内装フィルム、即ち、防炎性内装フィルムとしてマグネット式内装施工方法に適用した例を説明する。図２に記載された下地シート２０は、例えば、ステンレスからなり、裏面にアクリル樹脂などの粘着剤２１が塗布されている。粘着剤２１は、通常、剥離紙２２により保護されている。この実施例で説明するマグネット式内装施工方法は、建築物におけるトイレの床面に施される。
【００１０】
まず、防炎性内装フィルム及び下地シートを用意する。図３（ａ）に示された便器の取付けられた床面を内装を施す領域とする。次に、図３（ｂ）に示すように、この領域上に下地シートを貼り付ける。この図では便器の記載は省略する。その後、防炎性内装フィルムを下地の上に取付ける（図３（ｃ））。
以上、この実施例ではマグネットシートから構成された下地シートを用いて防炎性内装フィルムを床面に固定しているので、内装施工を短時間で簡単に行うことが出来る。また、トイレ内の尿臭、汚れ、除菌に対しても、防炎性内装フィルムは容易に交換出来るので迅速に元に戻すことが出来る。また、トイレ内の床面に限らず、側壁に内装フィルムを施すことも有効である。また、この方法を用いるに適した場所には台所や浴室などがある。さらに、この実施例によると、防炎特性の高い内装が得られる。
【実施例２】
【００１１】
次に、図４乃至図７を参照して、実施例１に示す防炎性内装フィルムを利用して行われる他の内装施工方法を説明する。この方法では、図４に示すように、防炎性内装フィルム１０を構成する合成樹脂シート１１に防犯ミラー３０を貼り付ける。防炎性内装フィルム１０は、マグネットシート１２、防炎剤層１３、合成樹脂フィルム１１の三層からなる。防犯ミラー３０には、例えば、０．３ｍｍ厚程のアルミ板３２にアルミ箔３１を貼り付けたアルミシートを用いる（図５参照）。
この防炎性内装フィルムを取付けた防犯ミラーは、例えば、エレベータ内部の開閉扉に貼り付ける（図６及び図７参照）。開閉扉の対抗する壁面上部にはレンズが防犯ミラー３０に向いた監視カメラを設置する。防犯ミラーの映像を監視することによりカメラの視野を広げることが出来る。前述のアルミシートは、薄いので、エレベータの開閉扉に取付けることが可能であるが、エレベータ内の他の壁面に必要に応じて取付けることもできる。
このように、この内装フィルムを用いることにより容易に防犯システムを構築することが出来る。さらに、この実施例によると、防炎特性の高い内装が得られる。
【実施例３】
【００１２】
次に、図８を参照して、実施例１に示す防炎性内装フィルムを利用して行われる他の内装施工方法を説明する。
図８は、建築物内部の壁面を示している。まず、防炎性内装フィルム及びステンレスなどの下地シートを用意する。つぎに、建築物内部の壁面に内装を施す領域を設定し、この領域の古い壁紙などを取り除いて表面を清浄にする。そして、この領域全面に下地シートを敷き詰める（図８（ａ））。下地シートは、領域全面に1枚のシートを敷いても良いし、小さいシートを継ぎ足して敷き詰めても良い。下地シートは、図２に示す剥離紙２２を剥ぎながら粘着剤２１を領域表面に貼り付けて固定される。その後、下地シート上に防炎性内装フィルムを磁力により貼り付けて内装を完成させる（図８（ｂ））。
以上、この方法ではマグネットシートから構成された下地シートを用いて防炎性内装フィルムを壁面に固定しているので、内装施工を短時間で簡単に行うことが出来る。また、磁性材料からなる下地シートを内装フィルムと併せて用いるので、適用する範囲が広くなる。さらに、この実施例によると、防炎特性の高い内装が得られる。
【実施例４】
【００１３】
次に、図９を参照して、実施例１に示す防炎性内装フィルムを利用して行われる他の内装施工方法を説明する。
図９は、建築物内部の壁面を示している。まず、防炎性内装フィルム及びステンレスなどの下地シートを用意する。つぎに、建築物内部の壁面の内装を施す領域を設定し、この領域の古い壁紙などを取り除いて表面を清浄にする。そして、この領域全面に下地シートを敷き詰める（図９（ａ））。下地シートは、領域全面に1枚のシートを敷く。下地シートは、図２に示す剥離紙２２を剥ぎながら粘着剤２１を領域表面に貼り付けて固定される。次に、防炎性内装フィルムと同じ材料からなる目地テープを下地シート上に間隔を置いて貼り付ける（図９（ｂ））。次に、防炎性内装フィルムを目地テープ間に配置し、これら防炎性内装フィルムの両端は、目地テープの両端を部分的に覆い、目地テープの中央部分が防炎性内装フィルムから露出するように配置する（図９（ｃ））。
以上、この方法ではマグネットシートから構成された下地シートを用いて防炎性内装フィルムを壁面に固定しているので、内装施工を短時間で簡単に行うことが出来る。また、目地テープを用いた内装は、美観を伴うものである。また、防炎性内装フィルムは目地テープ部分から剥がすことにより取外しが容易になる。さらに、この実施例によると、防炎特性の高い内装が得られる。
【００１４】
以上、本発明の防炎性フィルムを用いて防炎性内装フィルム及び必要に応じて使用される下地シートを用いたマグネット式内装施工方法によれば、短時間に簡単に施工が出来る。下地シートを用いる場合は、本発明を適用する範囲が広くなる、医療介護施設内部の側壁に適用すれば、車椅子や医療用ベットが接触により損傷を蒙っても速やかに元に復することが出来る、キッチンの油汚れ、除菌に対して容易に洗浄して元に戻すことが出来る、喫煙コーナーに消臭機能を付した防炎性内装フィルムを用いることが出来る、保育所、幼稚園に適用すれば、内装フィルムを取り外すことにより、下地シートを臨時のキッズスペースとして利用出来るので、学びながら磁石遊びなどを行うことができる、本発明を広いスペースのある建築物に適用すれば、短期イベント会場を短時間で提供することが出来る等の作用効果が期待される。
【符号の説明】
【００１５】
１０・・・防炎性フィルム
１１・・・合成樹脂シート
１２・・・マグネットシート
１３・・・防炎剤層
２０・・・磁性材料から構成された下地シート
２１・・・粘着剤
２２・・・剥離紙
３０・・・防犯ミラー
３１・・・アルミ箔
３２・・・アルミ板
【図１】
2015074893.tif 000003
【図２】
2015074893.tif 000004
【図３】
2015074893.tif 000005
【図４】
2015074893.tif 000006
【図５】
2015074893.tif 000007
【図６】
2015074893.tif 000008
【図７】
2015074893.tif 000009
【図８】
2015074893.tif 000010
【図９】
2015074893.tif 000011